(57)【要約】  符号化ストリームを記録媒体（１３１）に記録する記録装置（１００）であって、符号化ストリームを取得する取得部（１１０）と、取得された符号化ストリームをデコードするデコーダ（１５０）と、取得された符号化ストリームがデコーダ（１５０）によりデコードできない符号化ストリームである場合に符号化ストリームを記録媒体（１３１）に記録する第一制御、または、取得された符号化ストリームがデコーダ（１５０）によりデコードできない符号化ストリームである場合に符号化ストリームを記録しない第二制御、を予め定められた設定に応じて選択的に行う制御部（１２０）と、を備える。
2020059644.tif 000002
【特許請求の範囲】
【請求項１】
符号化ストリームを記録媒体に記録する記録装置であって、
前記符号化ストリームを取得する取得部と、
取得された前記符号化ストリームをデコードするデコーダと、
取得された前記符号化ストリームが前記デコーダによりデコードできない符号化ストリームである場合に前記符号化ストリームを前記記録媒体に記録する第一制御、または、取得された前記符号化ストリームが前記デコーダによりデコードできない符号化ストリームである場合に前記符号化ストリームを記録しない第二制御、を予め定められた設定に応じて選択的に行う制御部と、を備える
記録装置。
【請求項２】
前記制御部は、前記符号化ストリームをデコードする処理に要求される処理速度に関する要求処理能力が前記デコーダの処理能力を超えている場合に、前記符号化ストリームを前記デコーダがデコードできないと判定する
請求項１に記載の記録装置。
【請求項３】
前記符号化ストリームは、映像ストリームを含み、
前記要求処理能力は、解像度が所定の解像度以上である前記映像ストリームをデコードする処理に要求される処理能力である
請求項２に記載の記録装置。
【請求項４】
前記制御部は、前記予め定められた設定が前記第二制御を行うことを示す場合において、前記映像ストリームが、前記所定の解像度以上である第一映像ストリーム、および、前記所定の解像度未満である第二映像ストリームを含む場合、前記第一映像ストリームを記録せず、前記第二映像ストリームを前記記録媒体に記録する
請求項３に記載の記録装置。
【請求項５】
さらに、
前記予め定められた設定を記憶しているメモリと、
ユーザの入力を受け付ける受付部と、
前記入力に応じて前記メモリが記憶している前記予め定められた設定を、前記第一制御を行うことを示す第一設定、または、前記第二制御を行うことを示す第二設定に更新する更新部と、を備え、
前記制御部は、前記取得部が前記符号化ストリームを取得したときにおいて前記メモリに記憶されている前記予め定められた設定に応じて、前記第一制御または前記第二制御を選択的に行う
請求項１から４のいずれか１項に記載の記録装置。
【請求項６】
さらに、前記記録媒体に記録された１以上の前記符号化ストリームの一覧を生成し、前記一覧を表示装置に出力する出力部を備え、
前記一覧では、前記デコーダがデコードできない特定の符号化ストリームを示す第一表示の表示態様は、他の符号化ストリームを示す第二表示の表示態様と異なり、前記特定の符号化ストリームが前記記録装置で再生できないことを示す
請求項１から５のいずれか１項に記載の記録装置。
【請求項７】
符号化ストリームをデコードするデコーダを備え、かつ、符号化ストリームを記録媒体に記録する記録装置が行う記録方法であって、
前記符号化ストリームを取得し、
取得した前記符号化ストリームが前記デコーダによりデコードできない符号化ストリームである場合に前記符号化ストリームを前記記録媒体に記録する第一制御、または、取得された前記符号化ストリームが前記デコーダによりデコードできない符号化ストリームである場合に前記符号化ストリームを記録しない第二制御、を予め定められた設定に応じて選択的に行う
記録方法。
【発明の詳細な説明】
【技術分野】
【０００１】
本開示は、記録装置および記録方法に関する。
【背景技術】
【０００２】
特許文献１には、入力されるビデオデータのコピープロテクト信号がコピー許可からコピー禁止に変化したことを検出し、変化が検出された時、ビデオデータの記録を停止するビデオデータ記録装置が開示されている。
【先行技術文献】
【特許文献】
【０００３】
【特許文献１】特開２００２−８４４９７号公報
【発明の概要】
【発明が解決しようとする課題】
【０００４】
特許文献１の技術では、記録装置のデコーダがデコードできないビデオデータのような符号化ストリームが、記録装置に入力されることが想定されていない。このため、入力された符号化ストリームが、記録装置のデコーダにおいてデコードできない符号化ストリームである場合に、当該符号化ストリームを記録するか、または、記録しないかを適切に選択することができない。【０００５】
本開示は、デコードできない符号化ストリームを記録媒体に記録する、または、記録しないを適切に選択することができる記録装置および記録方法を提供する。
【課題を解決するための手段】
【０００６】
本開示における記録装置は、符号化ストリームを記録媒体に記録する記録装置であって、前記符号化ストリームを取得する取得部と、取得された前記符号化ストリームをデコードするデコーダと、取得された前記符号化ストリームが前記デコーダによりデコードできない符号化ストリームである場合に前記符号化ストリームを前記記録媒体に記録する第一制御、または、取得された前記符号化ストリームが前記デコーダによりデコードできない符号化ストリームである場合に前記符号化ストリームを記録しない第二制御、を予め定められた設定に応じて選択的に行う制御部と、を備える。【０００７】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００８】
本開示における記録装置および記録方法は、デコードできない符号化ストリームを記録媒体に記録する、または、記録しないを適切に選択することができる。
【図面の簡単な説明】
【０００９】
【図１】図１は、実施の形態に係る映像システムの概略を示す図である。
【図２】図２は、実施の形態に係る記録装置のハードウェア構成の一例を示す図である。
【図３】図３は、実施の形態に係る記録装置の機能構成の一例を示す図である。
【図４】図４は、４Ｋおよび８Ｋの映像ストリームが混在している映像ストリームを録画する場合の制御について説明するための図である。
【図５】図５は、記録装置における設定を変更するためのＧＵＩの一例を示す図である。
【図６】図６は、録画一覧を含むＧＵＩの一例を示す図である。
【図７】図７は、実施の形態に係る記録装置の動作の一例を示すフローチャートである。
【発明を実施するための形態】
【００１０】
本開示における記録装置は、符号化ストリームを記録媒体に記録する記録装置であって、前記符号化ストリームを取得する取得部と、取得された前記符号化ストリームをデコードするデコーダと、取得された前記符号化ストリームが前記デコーダによりデコードできない符号化ストリームである場合に前記符号化ストリームを前記記録媒体に記録する第一制御、または、取得された前記符号化ストリームが前記デコーダによりデコードできない符号化ストリームである場合に前記符号化ストリームを記録しない第二制御、を予め定められた設定に応じて選択的に行う制御部と、を備える。
【００１１】
これによれば、デコーダがデコードできない符号化ストリームであっても記録することが設定により定められている場合には第一制御が行われ、当該符号化ストリームを記録しないことが設定により定められている場合には第二制御が行われる。このため、デコーダによりデコードできない符号化ストリームを記録媒体に記録するか、または、デコーダによりデコードできない符号化ストリームを記録しないかを、適切に選択することができる。
【００１２】
例えばユーザが別の機器で再生するためにデコーダによりデコードできない符号化ストリームを記録する設定をしている場合には当該符号化ストリームを記録媒体に記録しておくことができ、ユーザがデコーダによりデコードできない符号化ストリームを記録しない設定をしている場合には記録装置では再生できない符号化ストリームを記録しないことができるため記録媒体の記録容量を節約することができる。
【００１３】
また、前記制御部は、前記符号化ストリームをデコードする処理に要求される処理速度に関する要求処理能力が前記デコーダの処理能力を超えている場合に、前記符号化ストリームを前記デコーダがデコードできないと判定してもよい。
【００１４】
このため、取得された符号化ストリームがデコーダの処理速度よりも速い処理速度でデコードすることを要求する符号化ストリームである場合に、当該符号化ストリームに対して第一制御を行うか、当該符号化ストリームに対して第二制御を行うかを、予め定められた設定に応じて、適切に選択することができる。
【００１５】
また、前記符号化ストリームは、映像ストリームを含み、前記要求処理能力は、解像度が所定の解像度以上である前記映像ストリームをデコードする処理に要求される処理能力であってもよい。
【００１６】
これによれば、デコーダがデコードできない符号化ストリームの判定を、符号化ストリームに含まれる映像ストリームの解像度を用いて行うため、当該判定を容易に行うことができる。
【００１７】
また、前記制御部は、前記予め定められた設定が前記第二制御を行うことを示す場合において、前記映像ストリームが、前記所定の解像度以上である第一映像ストリーム、および、前記所定の解像度未満である第二映像ストリームを含む場合、前記第一映像ストリームを記録せず、前記第二映像ストリームを前記記録媒体に記録してもよい。
【００１８】
このため、第一映像ストリームおよび第二映像ストリームが混在する映像ストリームが取得された場合において第二制御が行われる場合、第一映像ストリームおよび第二映像ストリームのうち第二映像ストリームのみを記録媒体に記録することができる。
【００１９】
また、さらに、前記予め定められた設定を記憶しているメモリと、ユーザの入力を受け付ける受付部と、前記入力に応じて前記メモリが記憶している前記予め定められた設定を、前記第一制御を行うことを示す第一設定、または、前記第二制御を行うことを示す第二設定に更新する更新部と、を備え、前記制御部は、前記取得部が前記符号化ストリームを取得したときにおいて前記メモリに記憶されている前記予め定められた設定に応じて、前記第一制御または前記第二制御を選択的に行ってもよい。
【００２０】
このため、ユーザにより選択された設定に応じて、第一制御または第二制御を選択的に行うことができるため、第一制御を行うか、第二制御を行うかを適切に選択することができる。
【００２１】
また、さらに、前記記録媒体に記録された１以上の前記符号化ストリームの一覧を生成し、前記一覧を表示装置に出力する出力部を備え、前記一覧では、前記デコーダがデコードできない特定の符号化ストリームを示す第一表示の表示態様は、他の符号化ストリームを示す第二表示の表示態様と異なり、前記特定の符号化ストリームが前記記録装置で再生できないことを示してもよい。
【００２２】
これによれば、デコーダがデコードできない場合であっても、記録媒体に記録された特定の符号化ストリームを示す第一表示の表示態様を再生できないことを示す表示態様で表示する。このため、ユーザは、一覧において当該記録装置が再生できない符号化ストリームを容易に判別することができる。
【００２３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２４】
なお、発明者（ら）は、当業者が本開示を十分に理解するために添付図面および以下の説明を提供するのであって、これらによって請求の範囲に記載の主題を限定することを意図するものではない。
【００２５】
（実施の形態）
以下、図１〜図７を用いて、実施の形態を説明する。
【００２６】
［１．構成］
図１は、実施の形態に係る映像システムの概略を示す図である。
【００２７】
図１に示すように、映像システム１は、放送波を受信するアンテナ２００と、アンテナ２００により受信された放送波から得られた符号化ストリームを記録する記録装置１００と、記録装置１００から出力された映像を表示する表示装置３００とを備える。符号化ストリームには、例えば、映像ストリームおよび音声ストリームが含まれている。
【００２８】
アンテナ２００は、例えば、高度ＢＳ／ＣＳデジタル放送における放送波を受信するためのアンテナである。なお、アンテナ２００は、上記の放送に限らずに、地上デジタル放送における放送波を受信するアンテナであってもよい。
【００２９】
記録装置１００は、リアルタイムに得られた符号化ストリームを記録媒体に記録する装置である。記録媒体は、例えば、ＨＤＤ（Ｈａｒｄ  Ｄｉｓｋ  Ｄｒｉｖｅ）であってもよいし、ＳＳＤ（Ｓｏｌｉｄ  Ｓｔａｔｅｄ  Ｄｒｉｖｅ）などの不揮発性メモリであってもよいし、ＢＤ（Ｂｌｕ-ｒａｙ（登録商標）  Ｄｉｓｃ）、ＤＶＤ（Ｄｉｇｉｔａｌ  Ｖｅｒｓａｔｉｌｅ  Ｄｉｓｃ）などの光ディスクであってもよい。また、記録装置１００は、符号化ストリームを映像信号にデコードし、得られた映像信号を表示装置３００に出力してもよい。記録装置１００は、放送波から得られた符号化ストリームをデコードしてもよいし、記録媒体に記録されている符号化ストリームをデコードしてもよい。記録装置１００は、例えば、ＢＤレコーダ、ＤＶＤレコーダ、ＨＤＤレコーダなどである。
【００３０】
表示装置３００は、記録装置１００から出力された映像信号により示される映像を表示する。表示装置３００は、例えば、ＴＶ（Ｔｅｌｅｖｉｓｉｏｎ）、ディスプレイなどである。
【００３１】
図２は、実施の形態に係る記録装置のハードウェア構成の一例を示す図である。
【００３２】
図２に示すように、記録装置１００は、チューナ１０１と、制御回路１０２と、メインメモリ１０３と、記憶装置１０４と、光ディスクドライブ１０５と、入力ＩＦ１０６と、出力ＩＦ１０７とを備える。
【００３３】
チューナ１０１は、アンテナ２００により受信したデジタル放送の放送波（符号化ストリーム）を制御回路１０２に出力する。
【００３４】
制御回路１０２は、符号化ストリームに対して所定の処理を実行する処理回路である。制御回路１０２は、記録装置１００の機能を実現するための処理回路である。制御回路１０２は、所定の制御プログラムを実行するＣＰＵなどの汎用のプロセッサにより実現されていてもよいし、専用回路により実現されていてもよい。つまり、記録装置１００の機能は、ソフトウェアにより実現されていてもよいし、ハードウェアにより実現されていてもよい。
【００３５】
メインメモリ１０３は、制御回路１０２がプログラムを実行するときに使用するワークエリアとして用いられる揮発性の記憶領域である。メインメモリ１０３は、例えば、ＲＡＭ（Ｒａｎｄｏｍ  Ａｃｃｅｓｓ  Ｍｅｍｏｒｙ）である。なお、メインメモリ１０３は、制御回路１０２に含まれていてもよい。
【００３６】
記憶装置１０４は、所定の制御プログラムを記憶している。また、記憶装置１０４は、符号化ストリームを記録するための記録媒体であってもよい。所定の制御プログラムを記憶している記憶領域と、符号化ストリームを記録するための記憶領域とは、互いに異なる領域である。記憶装置１０４は、複数の記録媒体を有していてもよい。
【００３７】
光ディスクドライブ１０５は、光ディスクから符号化ストリームなどの情報を読み出す、または、光ディスクに符号化ストリームなどの情報を書き出す機器である。
【００３８】
入力ＩＦ１０６は、人からの入力を受け付けるためのインタフェースである。入力ＩＦ１０６は、例えば、リモコンからの赤外線などの無線通信による入力を受け付けるインタフェースである。また、入力ＩＦ１０６は、上記に限らずに、マウス、タッチパッド、タッチパネル、トラックボールなどのポインティングデバイスであってもよいし、キーボードであってもよい。また、入力ＩＦ１０６は、無線通信に限らずに、有線通信によりユーザからの入力を受け付けるインタフェースであってもよい。
【００３９】
出力ＩＦ１０７は、表示装置３００に映像信号を出力するためのインタフェースである。出力ＩＦ１０７は、例えば、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）である。
【００４０】
図３は、実施の形態に係る記録装置の機能構成の一例を示す図である。
【００４１】
図３に示すように、記録装置１００は、機能構成として、取得部１１０と、制御部１２０と、記録部１３０と、メモリ１４０と、デコーダ１５０と、出力部１６０と、受付部１７０と、更新部１８０とを備える。
【００４２】
取得部１１０は、符号化ストリームを取得する。取得部１１０は、例えば、放送波から符号化ストリームを取得してもよい。取得部１１０は、例えば、チューナ１０１、制御回路１０２、メインメモリ１０３、記憶装置１０４などにより実現される。
【００４３】
制御部１２０は、取得部１１０に取得された符号化ストリームがデコーダ１５０によりデコードできない符号化ストリームである場合に記録部１３０を用いて符号化ストリームを記録媒体１３１に記録する第一制御、または、取得された符号化ストリームがデコーダ１５０によりデコードできない符号化ストリームである場合に符号化ストリームを記録しない第二制御、を予め定められた設定に応じて選択的に行う。
【００４４】
制御部１２０は、予め定められた設定を、例えば、メモリ１４０から読み出すことで取得する。つまり、制御部１２０は、取得部１１０が符号化ストリームを取得したときにおいてメモリ１４０に記憶されている予め定められた設定に応じて、第一制御または第二制御を選択的に行う。
【００４５】
制御部１２０は、デコーダ１５０がデコードできる符号化ストリームであるか否かの判定を、符号化ストリームをデコードする処理に要求される処理速度に関する要求処理能力に応じて行う。制御部１２０は、要求処理能力がデコーダ１５０の処理能力を超えている場合に、符号化ストリームをデコーダ１５０がデコードできないと判定する。要求処理能力は、例えば、解像度が所定の解像度（例えば８Ｋ）以上である映像ストリームをデコードする処理に要求される処理能力である。つまり、制御部１２０は、例えば、符号化ストリームに含まれる映像ストリームの解像度が所定の解像度以上である場合、デコーダ１５０が当該映像ストリームを含む符号化ストリームをデコードできないと判定する。
【００４６】
制御部１２０は、符号化ストリームの映像ストリームを解析することで、当該映像ストリームの解像度を検出し、検出した解像度に基づいてデコーダ１５０がデコードできる符号化ストリームであるか否かを判定する。制御部１２０は、映像ストリームを構成するパケットのペイロードに含まれるＩピクチャまたはＩＲＡＰ（Ｉｎｔｒａ  Ｒａｎｄｏｍ  Ａｃｃｅｓｓ  Ｐｏｉｎｔ）を解析して映像ストリームの解像度を検出してもよいし、映像ストリームを構成するパケットのヘッダを参照することで解像度を検出してもよい。もしくは、制御部１２０は、制御情報であるＭＭＴ−ＳＩなどに含まれる解像度情報から解像度を検出してもよい。解像度情報は、例えば、映像コンポーネントディスクリプタなどに記載されている。
【００４７】
制御部１２０は、予め定められた設定が第二制御を行うことを示す場合において、映像ストリームが、所定の解像度以上である第一映像ストリーム（例えば、８Ｋの映像ストリーム）、および、所定の解像度未満である第二映像ストリーム（例えば、２Ｋおよび４Ｋの映像ストリーム）を含む場合、第一映像ストリームを記録せず、第二映像ストリームを、記録部１３０を用いて記録媒体１３１に記録する。例えば、図４に示すように、４Ｋの映像ストリーム４０１、４０３と、８Ｋの映像ストリーム４０２とが混在している映像ストリーム４００を録画する場合を例に説明する。映像ストリーム４００は、４Ｋの映像ストリーム４０１、８Ｋの映像ストリーム４０２および４Ｋの映像ストリーム４０３の順で構成されている。
【００４８】
制御部１２０は、第一制御においては、４Ｋの映像ストリームも８Ｋの映像ストリームも両方とも記録するため、映像ストリーム４００の始めから録画を開始し、映像ストリーム４００の終わりで録画を停止する。つまり、録画した映像ストリームは、４Ｋの映像ストリーム４０１、４０３および８Ｋの映像ストリーム４０２を含む。
【００４９】
制御部１２０は、第二制御においては、４Ｋの映像ストリームを録画し、８Ｋの映像ストリームを録画しない。このため、制御部１２０は、４Ｋの映像ストリーム４０１の始めから録画を開始し、４Ｋの映像ストリーム４０１の終わり（つまり、８Ｋの映像ストリーム４０２の始め）で録画を一時停止する。そして、制御部１２０は、４Ｋの映像ストリーム４０３の始め（つまり、８Ｋの映像ストリーム４０２の終わり）で録画を再開し、４Ｋの映像ストリーム４０３の終わりで録画を停止する。つまり、録画した映像ストリームは、４Ｋの映像ストリーム４０１、４０３を含み、８Ｋの映像ストリーム４０２を含まない。
【００５０】
また、制御部１２０は、ユーザからの入力を受け付けるためのＧＵＩ（Ｇｒａｐｈｉｃａｌｕｓｅｒ ｉｎｔｅｒｆａｃｅ）を生成してもよい。ＧＵＩは、メモリ１４０に予め記憶されている設定を変更するためのものであってもよいし、記録媒体１３１に記録されている符号化ストリームを記録装置１００において再生（デコード）するためのものであってもよい。制御部１２０は、例えば、記録媒体１３１に記録された１以上の符号化ストリームの一覧を生成し、当該一覧を含むＧＵＩを表示装置３００に出力してもよい。なお、一覧は、ＧＵＩに含まれていなくてもよく、表および文字列で構成される情報であってもよい。制御部１２０は、ユーザからの入力および所定のプログラムに応じて、ＧＵＩを生成する。
【００５１】
なお、制御部１２０は、例えば、制御回路１０２、メインメモリ１０３、記憶装置１０４などにより実現される。
【００５２】
記録部１３０は、制御部１２０の制御に応じて符号化ストリームを記録媒体１３１に記録する処理部である。記録部１３０は、第一制御の場合、取得部１１０において取得された符号化ストリームを記録媒体１３１に記録し、第二制御の場合、取得部１１０において取得された符号化ストリームのうち所定の解像度以上の映像ストリームを含む符号化ストリームを除く符号化ストリームを記録する。記録部１３０は、制御回路１０２、メインメモリ１０３、記憶装置１０４、光ディスクドライブ１０５などにより実現される。なお、記録媒体１３１は、上述したように、例えば、ＨＤＤ（Ｈａｒｄ  Ｄｉｓｋ  Ｄｒｉｖｅ）であってもよいし、ＳＳＤ（Ｓｏｌｉｄ  Ｓｔａｔｅｄ  Ｄｒｉｖｅ）などの不揮発性メモリであってもよいし、ＢＤ（Ｂｌｕ-ｒａｙ（登録商標）  Ｄｉｓｃ）、ＵｌｔｒａＨＤ  ＢＤ、ＤＶＤ（Ｄｉｇｉｔａｌ  Ｖｅｒｓａｔｉｌｅ  Ｄｉｓｃ）などの光ディスクであってもよい。
【００５３】
メモリ１４０は、予め定められた設定を記憶している。メモリ１４０は、予め定められた設定として、制御部１２０が第一制御を行うことを示す第一設定、および、制御部１２０が第二制御を行うことを示す第二設定のいずれかを記憶している。メモリ１４０は、例えば、記憶装置１０４などにより実現される。
【００５４】
デコーダ１５０は、取得部１１０により取得された符号化ストリームをデコードし、デコードすることで得られた映像信号を出力部１６０に出力する。符号化ストリームは、デコーダ１５０の処理能力に応じて、デコーダ１５０がデコードできる符号化ストリームと、デコーダ１５０ができない符号化ストリームとを含む。本実施の形態では、デコーダ１５０がデコードできない符号化ストリームは、所定の解像度以上（つまり８Ｋ)の映像ストリームを有する符号化ストリームである。デコーダ１５０は、例えば、制御回路１０２、メインメモリ１０３などにより実現される。
【００５５】
出力部１６０は、デコーダ１５０によりデコードされた映像信号、または、制御部１２０により生成されたＧＵＩを表示装置３００に出力する。出力部１６０は、例えば、制御回路１０２、メインメモリ１０３、記憶装置１０４および出力ＩＦ１０７などにより実現される。
【００５６】
受付部１７０は、ユーザからの入力を受け付ける処理部である。受付部１７０は、例えば、リモコンの所定のボタンに対するユーザからの入力を示す入力信号を受け付けてもよいし、出力部１６０から出力しているＧＵＩへのリモコンからの入力を示す入力信号を受け付けてもよい。受付部１７０は、例えば、制御回路１０２、メインメモリ１０３、記憶装置１０４および入力ＩＦ１０６などにより実現される。
【００５７】
更新部１８０は、受付部１７０により受け付けられた入力に応じてメモリ１４０が記憶している予め定められた設定を、第一設定または第二設定に更新する。更新部１８０は、例えば、制御回路１０２、メインメモリ１０３および記憶装置１０４などにより実現される。
【００５８】
ここで、図５を用いて、ＧＵＩ３０１、３０３の具体例について説明する。
【００５９】
図５は、記録装置における設定を変更するためのＧＵＩの一例を示す図である。
【００６０】
ＧＵＩ３０１は、記録設定を変更するためのＧＵＩの一例である。例えば、ＧＵＩ３０１が表示装置３００に表示されている状態において、ユーザは、リモコンなどの入力装置を操作することにより、「８Ｋ番組記録設定」ボタン３０２を選択して、決定したとする。この決定を示す入力が受付部１７０により受け付けられると、制御部１２０は、ＧＵＩ３０３を出力する。これにより、表示装置３００にはＧＵＩ３０３が表示される。ＧＵＩ３０３には、「８Ｋ番組記録設定」ウィンドウ３０４が表示され、「８Ｋ番組記録設定」ウィンドウ３０４には、「録画する」ボタン３０５、および、「録画しない」ボタン３０６が表示されている。ユーザにより「録画する」ボタン３０５が選択されて決定されると、受付部１７０は、第一設定を示す入力を受け付けたこととなり、更新部１８０は、メモリ１４０における設定を「第一設定」に更新する。一方で、ユーザにより「録画しない」ボタン３０６が選択されて決定されると、受付部１７０は、第二設定を示す入力を受け付けたこととなり、更新部１８０は、メモリ１４０における設定を「第二設定」に更新する。
【００６１】
なお、デコーダ１５０がデコードできない符号化ストリームを記録媒体１３１に記録した場合、ユーザは、記録媒体１３１に記録された符号化ストリームをデコードできる再生機器に入力することで再生させることができる。この場合、記録媒体１３１は、ＵｌｔｒａＨＤ  ＢＤなどの４Ｋコンテンツを記録した光ディスクが再生可能な再生機器で再生させることで、符号化ストリームを再生させることができる。また、記録媒体１３１は、外付けのＨＤＤ、ＳＳＤなどのような外付けのストレージであってもよく、符号化ストリームを記録した外付けのストレージを再生機器に接続することで、再生機器で外付けのストレージに記録した符号化ストリームを再生させてもよい。また、記録装置１００がＬＡＮ（Ｌｏｃａｌ  Ａｒｅａ  Ｎｅｔｗｏｒｋ）などのネットワークを介して再生機器と接続されている場合には、再生機器は、記録装置１００からネットワークを介して符号化ストリームを取得することで、当該符号化ストリームを再生してもよい。
【００６２】
また、図６を用いて、一覧を含むＧＵＩ３０７の具体例について説明する。
【００６３】
図６は、録画一覧を含むＧＵＩの一例を示す図である。
【００６４】
ＧＵＩ３０７は、記録媒体１３１に記録されている符号化ストリームを記録装置１００において再生（デコード）するためのＧＵＩの一例である。例えば、ＧＵＩ３０７に含まれる録画一覧では、連続ドラマＡが８Ｋの映像ストリームを含む符号化ストリームであることが「８Ｋ」の表示により示されており、ドキュメントＣが４Ｋの映像ストリームを含む符号化ストリームであることが「４Ｋ」の表示により示されており、ニュースＢおよび情報番組Ｄが２Ｋの映像ストリームを含む符号化ストリームであることが「８Ｋ」および「４Ｋ」の表示がないことにより示されている。また、当該録画一覧では、表示３０８により連続ドラマＡが記録装置１００において再生できないことが示されている。つまり、録画一覧では、デコーダ１５０がデコードできない特定の符号化ストリーム（例えば８Ｋの映像ストリームを含む符号化ストリーム）を示す第一表示の表示態様は、他の符号化ストリーム（例えば２Ｋおよび４Ｋの映像ストリームを含む符号化ストリーム）を示す第二表示の表示態様と異なり、特定の符号化ストリームが記録装置１００で再生できないことを示す。
【００６５】
なお、第一表示の表示態様は表示３０８を表示させることとし、第二表示の表示態様は表示３０８を表示させないこととしたが、これに限らずに、第一表示をグレーアウトさせた表示とし、第二表示を黒字または白字での表示とするように、文字または周囲の背景の色を第一表示および第二表示で表示態様を異ならせてもよい。また、第一表示を表示させずに、第二表示を表示させてもよい。また、第一表示および第二表示のうち一方を枠で囲む表示としてもよい。
【００６６】
［２．動作］
以上のように構成された記録装置１００について、その動作を以下説明する。
【００６７】
図７は、実施の形態に係る記録装置の動作の一例を示すフローチャートである。
【００６８】
記録装置１００では、取得部１１０が符号化ストリームを取得する（Ｓ１）。
【００６９】
次に、制御部１２０は、取得部１１０により取得された符号化ストリームのＩピクチャまたはＩＲＡＰを検出する（Ｓ２）。これにより、制御部１２０は、符号化ストリームを構成するＧＯＰ（Ｇｒｏｕｐ  Ｏｆ  Ｐｉｃｔｕｒｅ）単位で処理を行う。ＩピクチャまたはＩＲＡＰは、１つのＧＯＰを構成する複数のピクチャのうち、先頭に配置される（最初に複合される）ピクチャである。
【００７０】
制御部１２０は、符号化ストリームを解析する（Ｓ３）。
【００７１】
制御部１２０は、符号化ストリームに含まれる映像ストリームが所定の解像度（例えば８Ｋ）以上であるか否かを判定する（Ｓ４）。
【００７２】
制御部１２０は、所定の解像度以上であると判定した場合（Ｓ４でＹｅｓ）、メモリ１４０に記憶されている設定が、所定の解像度以上の映像ストリームを録画する設定（第一設定）であるか否かを判定する（Ｓ５）。つまり、制御部１２０は、メモリ１４０に記憶されている設定が、第一設定であるか第二設定であるかを判定する。
【００７３】
制御部１２０は、メモリ１４０に記憶されている設定が所定の解像度以上の映像ストリームを録画する第一設定である場合（Ｓ５でＹｅｓ）、取得したＧＯＰを、記録部１３０を用いて記録媒体１３１に記録する（Ｓ６）。なお、制御部１２０は、ステップＳ４において、所定の解像度未満であると判定した場合（Ｓ４でＮｏ）にも、ステップＳ６を実行する。
【００７４】
制御部１２０は、メモリ１４０に記憶されている設定が所定の解像度以上の映像ストリームを録画しない第二設定である場合（Ｓ５でＮｏ）、取得したＧＯＰを記録しないで、ステップＳ１に戻る。
【００７５】
ステップＳ６の後で、制御部１２０は、記録媒体１３１に記録しているデータの管理情報を更新する（Ｓ７）。管理情報は、記録しているデータにおいて、記録したＧＯＰの提示時刻（ＰＴＳ）、記録媒体１３１における記録位置などを示す情報である。なお、制御部１２０は、管理情報に記録したＧＯＰの復号時刻（ＤＴＳ）も合わせて記録してもよい。
【００７６】
次に、制御部１２０は、符号化ストリームの記録の停止要求があるか否かを判定する（Ｓ８）。制御部１２０は、例えば、予約録画により符号化ストリームの記録を行っている場合には現在時刻が予約録画の終了時刻である場合に、停止要求があると判定する。また、制御部１２０は、受付部１７０がユーザによるリモコンなどの入力装置から録画停止を示す入力信号を受け付けた場合に、停止要求があると判定してもよい。
【００７７】
制御部１２０は、停止要求があると判定した場合（Ｓ８でＹｅｓ）、記録部１３０による記録を停止する（Ｓ９）。
【００７８】
制御部１２０は、停止要求がないと判定した場合（Ｓ８でＮｏ）、ステップＳ１に戻る。
【００７９】
［３．効果等］
以上のように、本実施の形態に係る記録装置１００は、取得部１１０と、デコーダ１５０と、制御部１２０とを備える。取得部１１０は、符号化ストリームを取得する。デコーダ１５０は、取得された符号化ストリームをデコードする。制御部１２０は、第一制御または第二制御、を予め定められた設定に応じて選択的に行う。第一制御は、取得された符号化ストリームがデコーダ１５０によりデコードできない符号化ストリームである場合に符号化ストリームを記録媒体１３１に記録する制御である。第二制御は、取得された符号化ストリームがデコーダによりデコードできない符号化ストリームである場合に符号化ストリームを記録しない制御である。
【００８０】
これによれば、デコーダ１５０がデコードできない符号化ストリームであっても記録することが設定により定められている場合には第一制御が行われ、当該符号化ストリームを記録しないことが設定により定められている場合には第二制御が行われる。このため、デコーダ１５０によりデコードできない符号化ストリームを記録媒体１３１に記録する第一制御を行うか、または、デコーダ１５０によりデコードできない符号化ストリームを記録しない第二制御を行うかを、適切に選択することができる。
【００８１】
例えばユーザが別の機器で再生するためにデコーダ１５０によりデコードできない符号化ストリームを記録する設定をしている場合には当該符号化ストリームを記録媒体１３１に記録しておくことができ、ユーザがデコーダによりデコードできない符号化ストリームを記録しない設定をしている場合には記録装置１００では再生できない符号化ストリームを記録しないことができる。このため記録媒体１３１の記録容量を節約することができる。
【００８２】
また、本実施の形態に係る記録装置１００において、制御部１２０は、符号化ストリームをデコードする処理に要求される処理速度に関する要求処理能力がデコーダ１５０の処理能力を超えている場合に、符号化ストリームをデコーダ１５０がデコードできないと判定する。
【００８３】
このため、取得された符号化ストリームがデコーダ１５０の処理速度よりも速い処理速度でデコードすることを要求する符号化ストリームである場合に、当該符号化ストリームに対して第一制御を行うか、または、当該符号化ストリームに対して第二制御を行うかを、予め定められた設定に応じて、適切に選択することができる。
【００８４】
また、本実施の形態に係る記録装置１００において、符号化ストリームは、映像ストリームを含む。要求処理能力は、解像度が所定の解像度以上である映像ストリームをデコードする処理に要求される処理能力である。
【００８５】
これによれば、デコーダ１５０がデコードできない符号化ストリームの判定を、符号化ストリームに含まれる映像ストリームの解像度を用いて行うため、当該判定を容易に行うことができる。
【００８６】
また、本実施の形態に係る記録装置１００において、制御部１２０は、予め定められた設定が第二制御を行うことを示す場合において、映像ストリームが、所定の解像度以上である第一映像ストリーム、および、所定の解像度未満である第二映像ストリームを含む場合、第一映像ストリームを記録せず、第二映像ストリームを記録媒体１３１に記録する。
【００８７】
このため、第一映像ストリームおよび第二映像ストリームが混在する映像ストリームが取得された場合において第二制御が行われる場合、第一映像ストリームおよび第二映像ストリームのうち第二映像ストリームのみを記録媒体１３１に記録することができる。
【００８８】
また、本実施の形態に係る記録装置１００は、さらに、メモリ１４０と、受付部１７０と、更新部１８０とを備える。メモリ１４０は、予め定められた設定を記憶している。受付部１７０は、ユーザの入力を受け付ける。更新部１８０は、入力に応じてメモリ１４０が記憶している予め定められた設定を、第一制御を行うことを示す第一設定、または、第二制御を行うことを示す第二設定に更新する。制御部１２０は、取得部１１０が符号化ストリームを取得したときにおいてメモリ１４０に記憶されている予め定められた設定に応じて、第一制御または第二制御を選択的に行う。
【００８９】
このため、ユーザにより選択された設定に応じて、第一制御または第二制御を選択的に行うことができるため、第一制御を行うか、または、第二制御を行うかを適切に選択することができる。
【００９０】
また、本実施の形態に係る記録装置１００は、さらに、出力部１６０を備える。出力部１６０は、記録媒体１３１に記録された１以上の符号化ストリームの一覧を生成し、一覧を表示装置３００に出力する。一覧では、デコーダ１５０がデコードできない特定の符号化ストリームを示す第一表示の表示態様は、他の符号化ストリームを示す第二表示の表示態様と異なり、特定の符号化ストリームが記録装置１００で再生できないことを示す。
【００９１】
これによれば、デコーダ１５０がデコードできない場合であっても、記録媒体１３１に記録された特定の符号化ストリームを示す第一表示の表示態様を再生できないことを示す表示態様で表示する。このため、ユーザは、一覧において当該記録装置１００が再生できない符号化ストリームを容易に判別することができる。
【００９２】
［４．その他］
上記実施の形態に係る記録装置１００では、取得部１１０は、アンテナ２００が受信した放送波から符号化ストリームを取得するとしたが、これに限らずに、インターネットなどの通信ネットワークを介して符号化ストリームを取得してもよい。
【００９３】
上記実施の形態に係る記録装置１００では、制御部１２０は、デコーダ１５０がデコードできない符号化ストリームを、当該符号化ストリームの解像度を用いて判定しているが、これに限らない。
【００９４】
例えば、制御部１２０は、符号化ストリームのフレームレートを用いて判定してもい。この場合、制御部１２０は、所定のフレームレート以上の映像ストリームを含む符号化ストリームをデコーダ１５０においてデコードできないと判定してもよい。
【００９５】
また、制御部１２０は、符号化ストリームの単位時間当たりの情報量を用いて判定してもよい。この場合、制御部１２０は、単位時間当たりの情報量が所定の情報量以上の符号化ストリームをデコーダ１５０においてデコードできないと判定してもよい。
【００９６】
また、制御部１２０は、デコーダ１５０が対応していない規格の符号化ストリームである場合に、当該符号化ストリームをデコーダ１５０においてデコードできないと判定してもよい。
【００９７】
以上のように、本開示における技術の例示として、実施の形態を説明した。そのために、添付図面および詳細な説明を提供した。
【００９８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９９】
また、上述の実施の形態は、本開示における技術を例示するためのものであるから、請求の範囲またはその均等の範囲において種々の変更、置き換え、付加、省略などを行うことができる。
【産業上の利用可能性】
【０１００】
本開示は、デコードできない符号化ストリームを記録媒体に記録する、または、記録しないを適切に選択することができる記録装置、記録方法などに適用可能である。
【符号の説明】
【０１０１】
１    映像システム
１００    記録装置
１０１    チューナ
１０２    制御回路
１０３    メインメモリ
１０４    記憶装置
１０５    光ディスクドライブ
１０６    入力ＩＦ
１０７    出力ＩＦ
１１０    取得部
１２０    制御部
１３０    記録部
１３１    記録媒体
１４０    メモリ
１５０    デコーダ
１６０    出力部
１７０    受付部
１８０    更新部
２００    アンテナ
３００    表示装置
３０１、３０３、３０７    ＧＵＩ
４００    映像ストリーム
４０１、４０３    ４Ｋの映像ストリーム
４０２    ８Ｋの映像ストリーム
【図１】
2020059644.tif 000003
【図２】
2020059644.tif 000004
【図３】
2020059644.tif 000005
【図４】
2020059644.tif 000006
【図５】
2020059644.tif 000007
【図６】
2020059644.tif 000008
【図７】
2020059644.tif 000009
【国際調査報告】
2020059644.tif 000010
2020059644.tif 000011
2020059644.tif 000012
2020059644.tif 000013